(57)【要約】【課題】装着時の外装材の縦方向への伸びを適度に抑制することにより、おむつの股下領域と着用者の肌面との間に隙間を生じることなく容易に装着できるパンツ型使い捨ておむつを提供する。【解決手段】このパンツ型使い捨ておむつ１の外装材２は、前腹部２１と、後背部２２と、股部２３とを有し、前腹部２１の横方向Ｘの両側の縁部２１ａと後背部２２の横方向Ｘの両側の縁部２２ａとが接合される。内装材３は、水分を吸収する吸収コア３１を有し、外装材２の肌面側に付与される。補強テープ４は、薄く略帯状の形態を有するとともに、外装材２を構成する基材シートよりも縦方向Ｙに対して低い伸縮性を有し、外装材２に略縦方向Ｙ又は縦方向Ｙに対して傾斜した斜め方向に沿って付与される。【選択図】図１
2011240017.tif 000002
【特許請求の範囲】
【請求項１】
パンツ型使い捨ておむつであって、
前腹部と、後背部と、前記前腹部と前記後背部との間に設けられる股部とを有し、前記前腹部の横方向の両側の縁部と前記後背部の前記横方向の両側の縁部とが接合された外装材と、
水分を吸収する吸収コアを有し、前記外装材の肌面側に付与された内装材と、
薄く略帯状の形態を有するとともに、前記外装材を構成する基材シートよりも前記縦方向に対して低い伸縮性を有し、前記外装材に略縦方向又は前記縦方向に対して傾斜した斜め方向に沿って付与される少なくとも１つの補強テープと、
を備えることを特徴とするパンツ型使い捨ておむつ。
【請求項２】
請求項１に記載のパンツ型使い捨ておむつにおいて、
前記補強テープは、前記外装材の前記前腹部の少なくとも一部、及び前記後背部の少なくとも一部の少なくともいずれか一方に、略前記縦方向又は前記斜め方向に沿って付与されていることを特徴とするパンツ型使い捨ておむつ。
【請求項３】
請求項２に記載のパンツ型使い捨ておむつにおいて、
前記補強テープは、前記外装材の前記縦方向の略全長に渡って略前記縦方向又は前記斜め方向に沿って付与されていることを特徴とするパンツ型使い捨ておむつ。
【請求項４】
請求項２に記載のパンツ型使い捨ておむつにおいて、
前記補強テープは、前記外装材の前記縦方向の両側の端部を除く前記前腹部から前記股部を経た前記後背部にかけた部分に、略前記縦方向又は前記斜め方向に沿って付与されていることを特徴とするパンツ型使い捨ておむつ。
【請求項５】
請求項２に記載のパンツ型使い捨ておむつにおいて、
前記補強テープは、前記外装材の前記前腹部から前記股部の股下領域の前側端部にかけた部分、及び、前記外装材の前記後背部から前記股部の股下領域の後側端部にかけた部分に、略前記縦方向又は前記斜め方向に沿って付与されていることを特徴とするパンツ型使い捨ておむつ。
【請求項６】
請求項１ないし請求項５のいずれかに記載のパンツ型使い捨ておむつにおいて、
前記補強テープは、前記外装材の左右両側において略前記縦方向又は前記斜め方向に沿って付与されていることを特徴とするパンツ型使い捨ておむつ。
【請求項７】
請求項１ないし請求項６のいずれかに記載のパンツ型使い捨ておむつにおいて、
前記補強テープは、前記外装材を構成する前記基材シートの色と異なった色であることを特徴とするパンツ型使い捨ておむつ。
【請求項８】
パンツ型使い捨ておむつであって、
重ね合わされた肌面側基材シートと外面側基材シートとによって構成され、前腹部と、後背部と、前記前腹部と前記後背部との間に設けられる股部とを有し、前記前腹部の横方向の両側の縁部と前記後背部の前記横方向の両側の縁部とが接合された外装材と、
水分を吸収する吸収コアを有し、前記外装材の肌面側に付与された内装材と、
前記外装材の前記前腹部及び前記後背部の少なくともいずれか一方において、前記横方向の両側の前記縁部よりも前記横方向の内方側にて、略縦方向又は前記縦方向に対して傾斜した斜め方向に沿って略ライン状又は略帯状に延び、前記肌面側基材シートと前記外面側基材シートとを接合する少なくとも１つの基材シート接合部と、
を備えることを特徴とするパンツ型使い捨ておむつ。
【請求項９】
請求項８に記載のパンツ型使い捨ておむつにおいて、
前記基材シート接合部は、ホットメルト接着剤により前記肌面側基材シートと前記外面側基材シートとを接合することを特徴とするパンツ型使い捨ておむつ。
【発明の詳細な説明】
【技術分野】
【０００１】
本発明は、パンツ型使い捨ておむつに関する。
【背景技術】
【０００２】
近年、パンツ型使い捨ておむつの最も外側に用いられる外装材は、普通の下着に近い着用感を実現するため、薄くより柔らかなものへと改良が進んでいる。しかし、外装材が柔らかくなるにつれて、おむつが装着しにくくなる等の支障が出る場合がある。例えば、おむつの装着時にその上端部を持って引き上げた際、外装材の縦方向への伸びにより、おむつの上端は着用者の腰周りの所定の位置まで引き上げられたのにかかわらず、おむつの股下領域が十分に引き上げられず、おむつの股下領域と着用者の肌面との間に隙間が生じたままになる場合がある。また、おむつの股下領域を引き上げようとして外装材に無理な力がかけられ、外装材が破損する場合もある。
【０００３】
なお、腰周りの部分に横方向に沿って付与された補強材を備えたパンツ型使い捨ておむつとしては、特許文献１に記載のものがある。しかし、このように補強材を横方向に沿って付与する構成では、装着時の外装材の縦方向への過度の伸びを有効の抑制することはできない。
【先行技術文献】
【特許文献】
【０００４】
【特許文献１】特開２００９−１９５６４７号公報
【発明の概要】
【発明が解決しようとする課題】
【０００５】
そこで、本発明の解決すべき課題は、装着時の外装材の縦方向への伸びを適度に抑制することにより、おむつの股下領域と着用者の肌面との間に隙間を生じることなく容易に装着できるパンツ型使い捨ておむつを提供することである。
【課題を解決するための手段】
【０００６】
上記の課題を解決するため、請求項１の発明では、パンツ型使い捨ておむつであって、前腹部と、後背部と、前記前腹部と前記後背部との間に設けられる股部とを有し、前記前腹部の横方向の両側の縁部と前記後背部の前記横方向の両側の縁部とが接合された外装材と、水分を吸収する吸収コアを有し、前記外装材の肌面側に付与された内装材と、薄く略帯状の形態を有するとともに、前記外装材を構成する基材シートよりも前記縦方向に対して低い伸縮性を有し、前記外装材に略縦方向又は前記縦方向に対して傾斜した斜め方向に沿って付与される少なくとも１つの補強テープとを備える。
【０００７】
また、請求項２の発明では、請求項１の発明に係るパンツ型使い捨ておむつにおいて、前記補強テープは、前記外装材の前記前腹部の少なくとも一部、及び前記後背部の少なくとも一部の少なくともいずれか一方に、略前記縦方向又は前記斜め方向に沿って付与されている。
【０００８】
また、請求項３の発明では、請求項２の発明に係るパンツ型使い捨ておむつにおいて、前記補強テープは、前記外装材の前記縦方向の略全長に渡って略前記縦方向又は前記斜め方向に沿って付与されている。
【０００９】
また、請求項４の発明では、請求項２の発明に係るパンツ型使い捨ておむつにおいて、前記補強テープは、前記外装材の前記縦方向の両側の端部を除く前記前腹部から前記股部を経た前記後背部にかけた部分に、略前記縦方向又は前記斜め方向に沿って付与されている。
【００１０】
また、請求項５の発明では、請求項２の発明に係るパンツ型使い捨ておむつにおいて、前記補強テープは、前記外装材の前記前腹部から前記股部の股下領域の前側端部にかけた部分、及び、前記外装材の前記後背部から前記股部の股下領域の後側端部にかけた部分に、略前記縦方向又は前記斜め方向に沿って付与されている。
【００１１】
また、請求項６の発明では、請求項１ないし請求項５のいずれかの発明に係るパンツ型使い捨ておむつにおいて、前記補強テープは、前記外装材の左右両側において略前記縦方向又は前記斜め方向に沿って付与されている。
【００１２】
また、請求項７の発明では、請求項１ないし請求項６のいずれかの発明に係るパンツ型使い捨ておむつにおいて、前記補強テープは、前記外装材を構成する前記基材シートの色と異なった色である。
【００１３】
また、請求項８の発明では、パンツ型使い捨ておむつであって、重ね合わされた肌面側基材シートと外面側基材シートとによって構成され、前腹部と、後背部と、前記前腹部と前記後背部との間に設けられる股部とを有し、前記前腹部の横方向の両側の縁部と前記後背部の前記横方向の両側の縁部とが接合された外装材と、水分を吸収する吸収コアを有し、前記外装材の肌面側に付与された内装材と、前記外装材の前記前腹部及び前記後背部の少なくともいずれか一方において、前記横方向の両側の前記縁部よりも前記横方向の内方側にて、略縦方向又は前記縦方向に対して傾斜した斜め方向に沿って略ライン状又は略帯状に延び、前記肌面側基材シートと前記外面側基材シートとを接合する少なくとも１つの基材シート接合部とを備える。
【００１４】
また、請求項９の発明では、請求項８の発明に係るパンツ型使い捨ておむつにおいて、前記基材シート接合部は、ホットメルト接着剤により前記肌面側基材シートと前記外面側基材シートとを接合する。
【発明の効果】
【００１５】
請求項１に記載の発明に係るパンツ型使い捨ておむつによれば、薄く略帯状の形態を有するとともに、外装材を構成する基材シートよりも縦方向に対して低い伸縮性を有する補強テープが、外装材に略縦方向又は縦方向に対して傾斜した斜め方向に沿って付与されている。それ故、おむつの装着時にその上端部を持って引き上げた際、外装材の縦方向への伸びが補強テープにより適度に抑制され、外装材の上端部から股下領域までの全体を一緒に引き上げることができる。このため、おむつが装着された際に、おむつの股下領域を着用者の肌面に密着させて、股下領域と肌面との間に隙間が生じるのを防止できる。また、おむつの股下領域を引き上げようとして外装材に無理な力がかけられ、外装材が破損するのも防止できる。その結果、おむつの装着も容易になる。
【００１６】
また、補強テープにより外装材が補強されるため、外装材を構成する基材シートをより薄くすることができ、これによって材料コストの削減が図れる。
【００１７】
請求項２に記載の発明に係るパンツ型使い捨ておむつによれば、装着時に縦方向への過度の伸び又は破損が生じやすい外装材の前腹部及び後背部のいずれか一方又は両方について、補強テープによる縦方向に対する適度な伸びの抑制及び補強の効果が得られる。
【００１８】
請求項３に記載の発明に係る使い捨ておむつによれば、外装材の縦方向の略全長に渡って、補強テープによる縦方向に対する適度な伸びの抑制及び補強の効果が得られる。
【００１９】
また、外装材における前腹部及び後背部だけでなく股部にも補強テープが付与されているため、装着時の引き上げによりおむつの股下領域を確実に引き上げて着用者の肌面に密着させることができる。
【００２０】
請求項４に記載の発明に係るパンツ型使い捨ておむつによれば、外装材の縦方向の両側の端部を除く前腹部から股部を経た後背部にかけた部分について、補強テープによる縦方向に対する適度な伸びの抑制及び補強の効果が得られる。
【００２１】
また、外装材における前腹部及び後背部だけでなく股部にも補強テープが付与されているため、装着時の引き上げによりおむつの股下領域を確実に引き上げて着用者の肌面に密着させることができる。
【００２２】
また、外装材の縦方向の両側の端部については、おむつの股下領域の引き上げ不足に対する影響が小さい。このため、外装材の縦方向の両側の端部への補強テープの付与を省略することにより、おむつの装着時の操作性等の性能の低下を招くことなく、材料コストを抑制できる。
【００２３】
請求項５に記載の発明に係るパンツ型使い捨ておむつによれば、外装材の前腹部から股部の股下領域の前側端部にかけた部分、及び、外装材の後背部から股部の股下領域の後側端部にかけた部分について、補強テープによる縦方向に対する適度な伸びの抑制及び補強の効果が得られる。
【００２４】
また、外装材の股部の股下領域については、おむつの装着時の縦方向への伸びが比較的小さい。このため、外装材の股部の股下領域への補強テープの付与を省略することにより、おむつの装着時の操作性等の性能の低下を招くことなく、材料コストを抑制できる。
【００２５】
請求項６に記載の発明に係るパンツ型使い捨ておむつによれば、外装材の左右両側において、補強テープによる縦方向に対する適度な伸びの抑制及び補強の効果が得られる。
【００２６】
請求項７に記載の発明に係るパンツ型使い捨ておむつによれば、補強テープが外装材を構成する基材シートの色と異なった色であるため、外装材の補強テープが付与されている部分を着用者に容易に認識させることができる。このため、装着時に外装材の補強テープが付与されている部分を持って引き上げるよう着用者に効果的に促すことができる。これによって、おむつの装着がよりスムーズに行えるようになるとともに、外装材の破損も抑制できる。
【００２７】
請求項８に記載の発明に係るパンツ型使い捨ておむつによれば、略縦方向又は縦方向に対して傾斜した斜め方向に沿って略ライン状又は略帯状に延びる少なくとも１つの基材シート接合部によって、外装材の前腹部及び後背部の少なくともいずれか一方において、横方向の両側の縁部よりも横方向の内方側にて、肌面側基材シートと外面側基材シートが接合されている。それ故、外装材の前腹部又は後背部、又はその両方において、基材シート接合部によって肌面側基材シートと外面側基材シートと接合されることにより、外装材が縦方向に伸びにくくなる。このため、おむつの装着時にその上端部を持って引き上げた際、外装材の縦方向への伸びが適度に抑制され、外装材の上端部から股下領域までの全体を一緒に引き上げることができる。このため、おむつが装着された際に、おむつの股下領域を着用者の肌面に密着させて、股下領域と肌面との間に隙間が生じるのを防止できる。また、おむつの股下領域を引き上げようとして外装材に無理な力がかけられ、外装材が破損するのも防止できる。その結果、おむつの装着も容易になる。
【００２８】
また、基材シート接合部によって肌面側基材シートと外面側基材シートと接合されることにより、外装材の前腹部又は後背部、又はその両方が補強されるため、外装材を構成する基材シートをより薄くすることができ、これによって材料コストの削減が図れる。
【００２９】
請求項９に記載の発明に係るパンツ型使い捨ておむつによれば、基材シート接合部の接合にホットメルト接着剤が用いられるため、外装材の肌面側基材シートと外面側基材シートの接合が容易に行えるとともに、接合部分の柔軟性も保持できる。
【図面の簡単な説明】
【００３０】
【図１】本発明の第１実施形態に係るパンツ型使い捨ておむつを、左右のサイド接合部を切り離して略平面状に展開したときの平面図である。
【図２】図１のＡ−Ａ線に沿った断面の構成を模式的に示す断面図である。
【図３】図１に示す構成の補強テープの付与形態に関する変形例を示す図である。
【図４】図１に示す構成の補強テープの付与形態に関する他の変形例を示す図である。
【図５】図１に示す構成の補強テープの付与形態に関するさらに他の変形例を示す図である。
【図６】本発明の第２実施形態に係るパンツ型使い捨ておむつを、左右のサイド接合部を切り離して略平面状に展開したときの平面図である。
【発明を実施するための形態】
【００３１】
図１及び図２を参照して、本発明の第１実施形態に係るパンツ型使い捨ておむつ（以下、単に「おむつ」という）１について説明する。なお、本明細書及び図面において、縦方向Ｙは着用者の前後又は上下方向に対応しており、横方向Ｘは着用者の左右方向に対応している。
【００３２】
本実施形態に係るおむつ１は、図１及び図２に示すように、外装材２、内装材３及び少なくとも１つの補強テープ４を備えて構成されている。外装材２は、前腹部２１と、後背部２２と、前腹部２１と後背部２２との間に設けられる股部２３とを有している。前腹部２１の横方向Ｘの両側の縁部２１ａと後背部２２の横方向Ｘの両側の縁部２２ａとが、サイド接合部５にて、溶着又は接着剤により接合されている。
【００３３】
また、外装材２は、互いに重ね合わされた肌面側基材シート２４及び外面側基材シート２５を備えて構成されている。肌面側基材シート２４及び外面側基材シート２５は、不織布等により構成されている。肌面側基材シート２４と外面側基材シート２５との間には、前側及び後側脚周り弾性部材１１，１２、前側及び後側ボディ弾性部材１３，１４、及び前側及び後側ウエスト弾性部材１５，１６が伸張された状態で挟み込まれるとともに、後述する補強テープ４が挟み込まれる。
【００３４】
肌面側基材シート２４と外面側基材シート２５との接合は、弾性部材１１〜１６及び補強テープ４が挟み込まれた部分、及びサイド接合部５にて行われており、それ以外の部分では、外装材２の柔軟性確保、製造工程の簡略化、接着剤等の材料コスト削減等のため、接合されていない。弾性部材１１〜１６が挟み込まれた部分では、弾性部材１１〜１６に塗布された接着剤（例えば、ホットメルト接着剤）によって弾性部材１１〜１６が基材シート２４，２５と接合されるのに伴って、基材シート２４，２５同士も接着剤によって接合される。また、補強テープ４が挟み込まれた部分では、補強テープ４の肌面側表面及び外面側表面が接着剤（例えば、ホットメルト接着剤）によって基材シート２４，２５と接合されるのに伴って、補強テープ４を介して基材シート２４，２５同士も接合される。
【００３５】
前側及び脚周り弾性部材１１，１２は、外装材２の脚穴に沿った部分を引き締めて着用者の脚周りにフィットさせるためのものである。前側脚周り弾性部材１１は、伸張された状態で、外装材２の前腹部２１の横方向Ｘの両縁部２１ａのいずれか一方の股下側端部から、股部２３の横方向Ｘの両縁部のいずれか一方に沿って股下側に延設されて、股下領域２３ａを横断し、股部２３の横方向Ｘの両縁部のいずれか他方に沿って進み、前腹部２１の横方向Ｘの両縁部２１ａのいずれか他方の股下側端部まで延設されている。後側脚周り弾性部材１２は、伸張された状態で、外装材２の後背部２２の横方向Ｘの両縁部２２ａのいずれか一方の股下側端部から、股部２３の横方向Ｘの両縁部のいずれか一方に沿って股下側に延設されて、股下領域２３ａを横断し、股部２３の横方向Ｘの両縁部のいずれか他方に沿って進み、後背部２２の横方向Ｘの両縁部２２ａのいずれか他方の股下側端部まで延設されている。
【００３６】
前側及び後側ボディ弾性部材１３，１４は、外装材２の前腹部２１及び後背部２２の縦方向Ｙの中間部分を引き締めて着用者の腰周りにフィットさせるためのものであり、前腹部２１及び後背部２２の縦方向Ｙの中間部分に、横方向Ｘに沿って伸張された状態で延設されている。前側及び後側ウエスト弾性部材１５，１６は、外装材２の前腹部２１及び後背部２２の上側縁部を引き締めて着用者の腰周りにフィットさせるためのものであり、外装材２の前腹部２１及び後背部２２の上側縁部に、横方向Ｘに沿って伸張された状態で延設されている。
【００３７】
補強テープ４は、薄く略帯状の形態を有するとともに、外装材２を構成する基材シート２４，２５よりも縦方向Ｙに対して低い伸縮性を有している。補強テープ４の材料としては、例えばポリプロピレン（ＰＰ）又はポリエチレン（ＰＥ）等の樹脂が用いられる。また、補強テープ４として不織布を用いてもよく、この場合、補強テープ４の付与による通気性、柔軟性の低下等の影響を回避できる。あるいは、補強テープ４として、多数の透孔が付与された樹脂製の通気性シート、又は、メッシュ状に編まれた編組シートを用いてもよい。
【００３８】
このような補強テープ４は、外装材２の左右両側において、略縦方向Ｙに沿って１つずつ付与されている。すなわち、本実施形態では２つの補強テープ４が設けられている。各補強テープ４の横方向Ｘに関する配置位置については、例えば、左右の補強テープ４が後述する内装材３の左右両側の側縁３ａの近傍（より的確には、後述する吸収コア３１の横方向Ｘの幅が最も広い部分における左右両側の側縁３１ａ）の近傍に配置されている。さらに具体的には、図１に示す構成では、左右の補強テープ４が、おむつ１の厚み方向から見て内装材３の左右両側の側縁３ａと重なるように側縁３ａに沿って配置されている。
【００３９】
この点に関する変形例として、左右の補強テープ４を内装材３の左右両側の側縁３ａよりも横方向Ｘの内方側に配置してもよく、あるいは、内装材３の左右両側の側縁３ａよりも横方向Ｘの外方側に配置してもよい。また、補強テープ４の数についても、外装材２の横方向Ｘの中央部に縦方向Ｙに沿って１つだけ付与するようにしてもよく、外装材２の横方向Ｘの中央部及び左右両側に縦方向Ｙに沿って１つずつ付与するようにしてもよく、あるいは、４つ以上の補強テープ４を外装材２に付与するようにしてもよい。
【００４０】
また、補強テープ４は、外装材２の前腹部２１の少なくとも一部、及び後背部２２の少なくとも一部の少なくともいずれか一方に、略縦方向Ｙに沿って付与されている。本実施形態では、補強テープ４が、外装材２の縦方向Ｙの略全長に渡って略縦方向Ｙに沿って付与されている。この点に関する変形例については後述する。
【００４１】
内装材３は、吸収コア３１、バックシート３２、トップシート３３、及び左右のサイドシート３４等を備えて構成され、外装材２の肌面側に付与される。吸収コア３１は、着用者が排泄した尿等の水分を吸収する吸収素材（例えば、繊維集合体又は吸収ポリマーを内包したシート体等）を備えて構成され、外面側のバックシート３２と、肌面側のトップシート３３及びサイドシート３４との間に挟み込まれるようにして配置される。本実施形態では、吸収コア３１の吸収素材は、縦方向Ｙの中間部の幅が縮小された略砂時計形の形状を有している。
【００４２】
バックシート３２は、不透液性の素材で構成するのが好ましい。その素材としては、例えば多孔性樹脂フィルムとその外面側に貼着された不織布とによって構成される複合シート等が用いられる。
【００４３】
トップシート３３は、透液性を有する素材（例えば、親水性不織布）により構成され、吸収コア３１の肌面側における横方向Ｘの中央部に、縦方向Ｙに沿って配置されている。左右のサイドシート３４は、トップシート３３の左右両側の縁部に肌面側から重なるように、縦方向Ｙに沿って配置されている。このサイドシート３４の横方向Ｘの内方側の部分は、肌面側に立ち上がり可能な自由端となっている。そして、左右のサイドシート３４の横方向Ｘの内方側の端部（先端）に、弾性部材３５が伸張された状態でそれぞれ付与されている。この弾性部材３５の収縮によって各サイドシート３４の横方向Ｘ内方側の部分が着用者の肌面側に向かって立ち上がり、立体ギャザー３６として機能する。この立体ギャザー３６により排泄物の横漏れが防止される。
【００４４】
以上のように、本実施形態に係るおむつ１によれば、薄く略帯状の形態を有するとともに、外装材２を構成する基材シート２４，２５よりも縦方向Ｙに対して低い伸縮性を有する補強テープ４が、外装材２に略縦方向Ｙに沿って付与されている。それ故、おむつ１の装着時にその上端部を持って引き上げた際、外装材２の縦方向Ｙへの伸びが補強テープ４により適度に抑制され、外装材２の上端部から股下領域２３ａまでの全体を一緒に引き上げることができる。このため、おむつ１が装着された際に、おむつ１の股下領域２３ａを着用者の肌面に密着させて、股下領域２３ａと肌面との間に隙間が生じるのを防止できる。また、おむつ１の股下領域２３ａを引き上げようとして外装材２に無理な力がかけられ、外装材２が破損するのも防止できる。その結果、おむつ１の装着も容易になる。
【００４５】
また、補強テープ４により外装材２が補強されるため、外装材２を構成する基材シート２４，２５をより薄くすることができ、これによって材料コストの削減が図れる。
【００４６】
また、補強テープ４が外装材２の縦方向Ｙの略全長に渡って略縦方向Ｙに沿って付与されているため、外装材２の縦方向Ｙの略全長に渡って、補強テープ４による縦方向Ｙに対する適度な伸びの抑制及び補強の効果が得られる。
【００４７】
また、外装材２における前腹部２１及び後背部２２だけでなく股部２３にも補強テープ４が付与されているため、装着時の引き上げによりおむつの股下領域２３ａを確実に引き上げて着用者の肌面に密着させることができる。
【００４８】
また、補強テープ４が外装材２の左右両側において略縦方向Ｙに沿って付与されているため、外装材２の左右両側において、補強テープ４による縦方向Ｙに対する適度な伸びの抑制及び補強の効果が得られる。
【００４９】
次に、図３ないし図５を参照して補強テープ４の外装材２への付与形態の変形例について説明する。図３に示す構成では、補強テープ４が、外装材２の縦方向Ｙの両側の端部を除く前腹部２１から股部２３を経た後背部２２にかけた部分に、略縦方向Ｙに沿って付与されている。
【００５０】
これによって、外装材２の縦方向Ｙの両側の端部を除く前腹部２１から股部２３を経た後背部２２にかけた部分について、補強テープ４による縦方向Ｙに対する適度な伸びの抑制及び補強の効果が得られる。また、外装材２における前腹部２１及び後背部２２だけでなく股部２３にも補強テープ４が付与されているため、装着時の引き上げによりおむつ１の股下領域２３ａを確実に引き上げて着用者の肌面に密着させることができる。また、外装材２の縦方向Ｙの両側の端部については、おむつ１の股下領域２３ａの引き上げ不足に対する影響が小さい。このため、外装材２の縦方向Ｙの両側の端部への補強テープ４の付与を省略することにより、おむつ１の装着時の操作性等の性能の低下を招くことなく、材料コストを抑制できる。
【００５１】
図４に示す構成では、左右の前側の補強テープ４１が、外装材２の前腹部２１から股部２３の股下領域２３ａの前側端部にかけた部分に略縦方向Ｙに沿って付与され、左右の後側の補強テープ４２が、外装材２の後背部２２から股部２３の股下領域２３ａの後側端部にかけた部分に略縦方向Ｙに沿って付与されている。
【００５２】
これによって、外装材２の前腹部２１から股部２３の股下領域２３ａの前側端部にかけた部分、及び、外装材２の後背部２２から股部２３の股下領域２３ａの後側端部にかけた部分について、補強テープ４１，４２による縦方向Ｙに対する適度な伸びの抑制及び補強の効果が得られる。また、外装材２の股部２３の股下領域２３ａについては、おむつ１の装着時の縦方向Ｙへの伸びが比較的小さい。このため、外装材２の股部２３の股下領域２３ａへの補強テープ４１，４２の付与を省略することにより、おむつ１の装着時の操作性等の性能の低下を招くことなく、材料コストを抑制できる。なお、図４に示す構成の更なる変形例として、前側の補強テープ４１を外装材２の前腹部２１のみに付与し、後側の補強テープ４２を外装材２の後背部２２のみに付与し、股部２３全体について補強テープ４１，４２の付与を省略してもよい。
【００５３】
また、上述の実施形態及び図３及び図４に示す構成では補強テープ４，４１，４２を略縦方向Ｙに沿って付与したが、補強テープ４を縦方向Ｙに対して傾斜した斜め方向に沿って付与してもよい。例えば、図５に示すように、左右の補強テープ４等を、外装材２の前側の部分については前側縁部から股下側に向けて左右の補強テープ４間の間が徐々に縮小するように付与し、外装材２の後側の部分については股下から後側縁部に向けて左右の補強テープ４間の間が徐々に拡大するように付与してもよい。
【００５４】
また、さらなる変形例として、補強テープ４の色を、外装材２を構成する基材シート２４，２５の色と異なった色にしてもよい。例えば、基材シート２４，２５の色が白色である場合、補強テープ４の色を青色等にしてもよい。これによって、外装材２の補強テープ４が付与されている部分を外装材２の外面側基材シート２５を透して着用者に容易に認識させることができる。このため、装着時に外装材２の補強テープ４１が付与されている部分を持って引き上げるよう着用者に効果的に促すことができる。その結果、おむつ１の装着がよりスムーズに行えるようになるとともに、外装材２の破損も抑制できる。
【００５５】
次に、図６を参照して、本発明の第２実施形態に係るおむつ１ａについて説明する。なお、本実施形態に係るおむつ１ａが上述の第１実施形態に係るおむつ１と実質的に異なる点は、補強テープ４を設ける代わりに基材シート接合部６が設けられた点のみであり、上述のおむつ１に係る構成と対応する部分については同一の参照符号を付して説明を省略する。
【００５６】
本実施形態に係るおむつ１ａでは、図６に示すように、外装材２の肌面側基材シート２４と外面側基材シート２５とを接合する少なくとも１つの基材シート接合部６が設けられている。この基材シート接合部６は、外装材２の前腹部２１及び後背部２２の少なくともいずれか一方において、横方向Ｘの両側の縁部２１ａ，２２ａのサイド接合部５が設けられる部分よりも横方向Ｘの内方側にて、略縦方向Ｙに沿って略ライン状又は略帯状に延設されている。図６に示す構成では、図１における左右の補強テープ４が設けられた部分に略帯状に延びる左右の基材シート接合部６が設けられている。すなわち、左右の基材シート接合部６が、外装材２の左右両側において縦方向Ｙの略全長に渡って略縦方向Ｙに沿って設けられている。基材シート接合部６での基材シート２４，２５の接合には、ホットメルト接着剤が用いられる。
【００５７】
このように外装材２の基材シート２４，２５が略縦方向Ｙに帯状に延びる基材シート接合部６によって接合されたことにより、外装材２の基材シート接合部６が設けられた部分（図６に示す構成では、外装材２の縦方向Ｙの全体）が縦方向Ｙに伸びにくくなる。このため、おむつ１ａの装着時にその上端部を持って引き上げた際、外装材２の縦方向Ｙへの伸びが適度に抑制され、外装材２の上端部から股下領域２３ａまでの全体を一緒に引き上げることができる。このため、おむつ１ａが装着された際に、おむつ１ａの股下領域２３ａを着用者の肌面に密着させて、股下領域２３ａと肌面との間に隙間が生じるのを防止できる。また、おむつ１ａの股下領域２３ａを引き上げようとして外装材２に無理な力がかけられ、外装材２が破損するのも防止できる。その結果、おむつ１ａの装着も容易になる。
【００５８】
また、基材シート接合部６によって基材シート２４，２５が接合されることにより、外装材２が補強されるため、外装材２を構成する基材シート２４，２５をより薄くすることができ、これによって材料コストの削減が図れる。
【００５９】
また、基材シート接合部６の接合にホットメルト接着剤が用いられるため、外装材２の基材シート２４，２５の接合が容易に行えるとともに、接合部分の柔軟性も保持できる。
【００６０】
上述の実施形態に係るおむつ１ａに関する変形例としては、上述の図３ないし図５に示す構成及びそれらの変形例において、補強テープ４，４１，４２の代わりに、補強テープ４，４１，４２が設けられる部分に基材シート接合部６を設けた構成等が挙げられる。
【符号の説明】
【００６１】
１，１ａ  おむつ、１１  前側脚周り弾性部材、１２  後側脚周り弾性部材、１３  前側ボディ弾性部材、１４  後側ボディ弾性部材、１５  前側ウエスト弾性部材、１６  後側ウエスト弾性部材、２  外装材、２１  前腹部、２２  後背部、２３  股部、２３ａ  股下領域、２４  肌面側基材シート、２５  外面側基材シート、３  内装材、３１  吸収コア、３２  バックシート、３３  トップシート、３４  サイドシート、３５  弾性部材、３６  立体ギャザー、４，４１，４２  補強テープ、５  サイド接合部、６  基材シート接合部、Ｘ  横方向、Ｙ  縦方向。
【図１】
2011240017.tif 000003
【図２】
2011240017.tif 000004
【図３】
2011240017.tif 000005
【図４】
2011240017.tif 000006
【図５】
2011240017.tif 000007
【図６】
2011240017.tif 000008